(57)【要約】【課題】使用者が傾斜切りをする際の使い勝手をよくする。【解決手段】切断材Ｗを載置させる載置面１４ａを備える載置部１４と、載置面１４ａに載置した切断材Ｗを切断可能な切断刃具を備える切断機本体１５と、載置部１４と切断機本体１５とを上下方向に離間させるために使用され、載置部１４に対して傾動可能なように連結される傾動側支持部材１３と、載置部１４と傾動側支持部材１３とがなす角度を固定する際に作業者が操作する操作部１１と、を備える卓上切断機１であって、前記操作部１１を傾動側支持部材１３の前側端面よりも前方及び載置面１４ａよりも上方に配置した卓上切断機１とする。【選択図】図１
2015150633.tif 000002
【特許請求の範囲】
【請求項１】
切断材を載置させる載置面を備える載置部と、載置面に載置した切断材を切断可能な切断刃具を備える切断機本体と、載置部に対し切断機本体を揺動可能に支持するために使用され載置部に対して傾動可能なように連結される傾動側支持部材と、載置部と傾動側支持部材とがなす角度を固定する際に使用者が操作する操作部と、を備える卓上切断機であって、
前記操作部を傾動側支持部材の前側端面よりも前方及び載置面よりも上方に配置した卓上切断機。
【請求項２】
請求項１に記載の卓上切断機であって、
前記操作部をガイドフェンスのフェンス面よりも前方に配置可能である卓上切断機。
【請求項３】
請求項１又は２に記載された卓上切断機であって、
前記操作部を回転操作することにより、前記傾動側支持部材の傾動可能状態と傾動不可能状態との切り替えが可能である卓上切断機。
【請求項４】
請求項１乃至３の何れか１項に記載された卓上切断機であって、
前記傾動側支持部材は本体傾動軸を回転中心として傾動するものであり、前記本体傾動軸と平行に配置された回転操作軸を回転させることで、前記傾動側支持部材の傾動可能状態と傾動不可能状態との切り替えが可能である卓上切断機。
【請求項５】
請求項１乃至４の何れか１項に記載された卓上切断機であって、
前記操作部と本体傾動軸とを連結する動力伝達部にギヤを含む卓上切断機。
【請求項６】
請求項１乃至５の何れか１項に記載された卓上切断機であって、
前記操作部と本体傾動軸とを連結する動力伝達部に無端索部材を含む卓上切断機。
【請求項７】
請求項１乃至６の何れか１項に記載の卓上切断機であって、
前記傾動側支持部材と切断機本体との間には切断機本体の前後方向の進行経路を定めるための筒部材が配置されており、前記操作部と本体傾動軸とを連結する動力伝達部の少なくとも一部が筒部材の内側に配設されている卓上切断機。
【請求項８】
請求項１乃至７の何れか１項に記載の卓上切断機であって、
前記切断機本体が傾動側支持部材に固定されたスライドバーの長手方向に沿って移動可能となるように構成されている卓上切断機。
【請求項９】
請求項１乃至８の何れか１項に記載の卓上切断機であって、
前記切断機本体が上死点に位置する際に、使用者が把持可能なハンドル部位の下方に前記操作部が位置することが可能である卓上切断機。
【請求項１０】
請求項１乃至９の何れか１項に記載の卓上切断機であって、
前記切断機本体が下死点に位置する際に、使用者が把持可能なハンドル部位の下方に前記操作部が位置することが可能である卓上切断機。
【請求項１１】
請求項５に記載の卓上切断機であって、前記ギヤにはアイドルギヤを備えている卓上切断機。
【請求項１２】
請求項５又は１１に記載の卓上切断機であって、前記ギヤが偶数枚用いられている卓上切断機。
【発明の詳細な説明】
【技術分野】
【０００１】
本発明は、例えば木材や金属の切断加工に用いられる卓上切断機であって、傾斜切りをすることが可能な卓上切断機に関する。
【背景技術】
【０００２】
切断材を載置するために使用される載置面と切断機本体とがなす角度を選択して切断することができる卓上切断機が知られている。このような卓上切断機は切断材を載置するために使用される載置部と、載置部に対して傾動可能な傾動側支持部材と、切断刃具を備える切断機本体と、を備えており、傾動側支持部材を傾かせることにより切断機本体と載置面とがなす角度を設定することができる構成となっている。このような卓上切断機を使用すると、例えば傾動側支持部材を傾かせることで切断機本体と載置面とがなす角度を４５度とすることができるため、切断材の長手方向と切断面とがなす角度を４５度とすることが可能となる。
【０００３】
傾動側支持部材と載置面とがなす角度は変更可能なもので無ければならないが、傾動側支持部材と載置面とがなす角度は、切断時には固定されている必要がある。そのため、操作部を操作することにより、載置面と傾動側支持部材とがなす角度が固定された傾動不可能状態と、載置面と傾動側支持部材とがなす角度が変更可能な傾動可能状態とを選択できるようになっている。
【０００４】
このような操作部は特許文献１に示されているように傾動側支持部材の後面側に配置されていることが多い。また、特許文献２に示されているように載置部の側面から突き出すように操作部を配置することも提案されてはいる。
【先行技術文献】
【特許文献】
【０００５】
【特許文献１】特開２０１１−４１９９９号公報
【特許文献２】特許第３９２２４７６号公報
【発明の概要】
【発明が解決しようとする課題】
【０００６】
しかしながら、特許文献１に記載の技術であると、操作部が傾動側支持部材の後にあるため、使用者は傾動側支持部材の前側から後側に手を回して操作をするか、使用者の立ち位置を変更して操作部を操作せねばならず、使用者が煩わしく感ずる恐れがあった。また、特許文献２に記載の技術であると、載置面に幅広の切断材を配置した場合、切断材の下に操作部が隠れてしまい、切断材を載置面に載置したまま操作部を操作できない恐れがあった。
【０００７】
本発明は、かかる観点からなされたもので、使用者が傾斜切りをする際の使い勝手をよくすることを目的とする。
【課題を解決するための手段】
【０００８】
このため、本発明は、以下に記す構成の切断工具とした。先ず、第１の発明は、切断材を載置させる載置面を備える載置部と、載置面に載置した切断材を切断可能な切断刃具を備える切断機本体と、載置部と切断機本体とを上下方向に離間させるために使用され、載置部に対して傾動可能なように連結される傾動側支持部材と、載置部と傾動側支持部材とがなす角度を固定する際に使用者が操作する操作部と、を備える卓上切断機であって、前記操作部を傾動側支持部材の前側端面よりも前方及び載置面よりも上方に配置した卓上切断機である。
【０００９】
第１の発明であれば、操作部を傾動支持部材の前側端面よりも前方及び載置面よりも上方に配置していることから、前後左右方向に長い切断材を配置しても、切断材より下方に操作部が位置することが無い。また、傾動支持部材の前側端面よりも前方に操作部が配置されているため、傾動側支持部材の後側に手を回す必要性が無い。したがって、傾斜切りをする際にも使用者に使い勝手の良いものとすることが可能となる。
【００１０】
第２の発明は、第１の発明であって、操作部をガイドフェンスのフェンス面よりも前方に配置可能である卓上切断機である。
【００１１】
第２の発明であれば、操作部がガイドフェンスのフェンス面よりも前方に配置可能であるため、使用者が通常作業時に手を伸ばす範囲で操作部を操作することが可能となり、使い勝手が良い卓上切断機とすることが可能となる。
【００１２】
第３の発明は、第１又は第２の発明であって、前記操作部を回転操作することにより、前記傾動側支持部材の傾動可能状態と傾動不可能状態との切り替えが可能である卓上切断機である。
【００１３】
第３の発明であれば、操作部を回転操作することにより、前記傾動側支持部材を傾動可能状態と傾動不可能状態との間で切り替えることができるため、使用者にとって使い勝手の良い卓上切断機とすることが可能である。
【００１４】
第４の発明は、第１乃至３の何れか一つの発明であって、前記傾動側支持部材は本体傾動軸を回転中心として傾動するものであり、前記本体傾動軸と平行に配置された回転操作軸を回転させることで、前記傾動側支持部材の傾動可能状態と傾動不可能状態との切り替えが可能である卓上切断機である。
【００１５】
第４の発明であれば、回転操作軸が本体傾動軸に対して平行に配置されることになるため、傾動側支持部材を動かした際に回転操作軸が動きうる領域を比較的小さくすることが可能となる。
【００１６】
第５の発明は、第１乃至４の何れか一つの発明であって、操作部と本体傾動軸とを連結する動力伝達部にギヤを含む卓上切断機である。
【００１７】
第５の発明であれば、動力伝達部に使用されているギヤは隣接する部材の凹凸形状とのかみ合わせにより隣接する部材に動力を伝えるものであるため、動力の伝達が適切に行われやすい。
【００１８】
第６の発明は、第１乃至５の何れか一つの発明であって、操作部と本体傾動軸とを連結する動力伝達部に無端索部材を含む卓上切断機である。
【００１９】
第６の発明であれば、比較的離間している場所に動力の伝達をしようとしても、比較的簡素な構造とすることが可能となる。
【００２０】
第７の発明は、第１乃至６の何れか一つの発明であって、前記傾動側支持部材と切断機本体との間には切断機本体の前後方向の進行経路を定めるための筒部材が配置されており、前記操作部と本体傾動軸とを連結する動力伝達部の少なくとも一部が筒部材の内側に配設されている卓上切断機である。
【００２１】
第７の発明であれば、切断機本体の前後方向の進行経路を定めるための筒部材の内側に動力伝達部の少なくとも一部が配設されているため、比較的コンパクトな卓上切断機とすることが可能である。
【００２２】
第８の発明は、第１乃至７の何れか一つの発明であって、切断機本体が傾動側支持部材に固定されたスライドバーの長手方向に沿って移動可能となるように構成されている卓上切断機である。
【００２３】
第８の発明であれば、切断機本体が、傾動側支持部材に固定されたスライドバーに対して移動可能であるため、切断機本体を支持しているスライドバーが傾動側支持部材に対してスライド移動するような場合に比べて傾動側支持部材の後方側にスペースを確保する必要性が無いため、使用環境の制約を少なくすることが可能である。
【００２４】
第９の発明は、第１乃至８の何れか一つの発明であって、前記切断機本体が上死点に位置する際に、使用者が把持可能なハンドル部位の下方に前記操作部が位置することが可能である卓上切断機である。
【００２５】
第９の発明であれば、切断機本体が上死点に位置する際に、操作部はハンドル部位の下方に位置することが可能であるため、傾動操作時にハンドル部位と操作部をしっかりと把持した状態で傾動操作が可能となるため、傾動操作時の操作性を向上させることが可能となる。
【００２６】
第１０の発明は、第１乃至９の何れか一つの発明であって、前記切断機本体が下死点に位置する際に、使用者が把持可能なハンドル部位の下方に前記操作部が位置することが可能である卓上切断機である。
【００２７】
第１０の発明であれば、切断機本体が下死点に位置する際に、操作部はハンドル部位の下方に位置することが可能であるため、傾動操作時にハンドル部位と操作部をしっかりと把持した状態で傾動操作が可能となるため、傾動操作時の操作性を向上させることが可能となる。
【００２８】
第１１の発明は、第５の発明であって、前記ギヤにはアイドルギヤを備えている卓上切断機である。
【００２９】
第１１の発明であれば、コンパクトな構成とすることが可能である。
【００３０】
第１２の発明は、第５又は第１１の発明であって、前記ギヤが偶数枚用いられている卓上切断機である。
【００３１】
第１２の発明であれば、使用者側から回転させた回転方向に背面側から回転させているのと同じことになり、違和感無く傾動可能状態と傾動不可能状態の選択操作をすることが可能となる。
【発明の効果】
【００３２】
本発明を利用すれば、使用者が傾斜切りをする際の使い勝手をよくすることが可能となる。
【図面の簡単な説明】
【００３３】
【図１】本発明が適用された卓上切断機の斜視図である。ただし、傾動側支持部材の後面側については内部構造を示している。
【図２】本発明が適用された卓上切断機の側面図である。ただし、回転操作軸周りについては内部構造を示している。
【図３】傾動側支持部材を傾動させて傾斜切りを可能な状態にした卓上切断機の背面図である。
【図４】傾動側支持部材を傾動させて傾斜切りを可能な状態にした卓上切断機の正面図である。
【図５】傾動側支持部材を起立させて垂直切りを可能な状態にした卓上切断機の正面図である。
【図６】本発明が適用された卓上切断機の平面図である。
【図７】切断機本体が上死点に位置しており、かつ、前端側に位置した状態を示した側面図である。
【図８】切断機本体が上死点に位置しており、かつ、後端側に位置した状態を示した側面図である。
【図９】切断機本体が下死点に位置しており、かつ、前端側に位置した状態を示した側面図である。
【図１０】切断機本体が下死点に位置しており、かつ、後端側に位置した状態を示した側面図である。
【図１１】図１のＸＩ−ＸＩ断面から見た断面図である。
【図１２】動力伝達機構にプーリーとベルトを使用した変形図である。
【図１３】動力伝達機構にスプロケットとチェーンを使用した変形図である。
【図１４】動力伝達機構にピニオンギヤとラックを使用した変形図である。
【図１５】動力伝達機構にかさ歯車を使用した変形図である。
【発明を実施するための形態】
【００３４】
以下に、本発明を実施するための形態について説明するが、始めに、本発明の卓上切断機１の概略について、適宜図面を用いながら説明する。なお、本明細書においては、前後、左右、上下との記載があるが、図１などに矢印で示した方向と一致している。具体的には、机Ｄと接することになるベース１４２を基準に切断機本体１５が配置される側が上側である。また、使用者が立つ側が前側であり、その反対側が後側である。また、卓上切断機１の前側から後側に向かった状態で左右を定めている。そのため、図１で卓上切断機１の側面が示されているほうが左側である。
【００３５】
卓上切断機は切断材Ｗを載置面１４ａに載置可能な載置部１４と、鋸刃や砥石などの回転可能な切断刃具１５１を備える切断機本体１５と、載置部１４に傾動可能に接続される傾動側支持部材１３と、傾動側支持部材１３と切断機本体１５とを連結する連結部材として機能するスライドバー１６を備えている（図２参照）。切断機本体１５はスライドバー１６に支えられた状態で支軸１５６を中心に上下方向に揺動可能となっており、切断材Ｗの上部側から下部側に切断刃具１５１を移動させることができるようになっている。なお、載置部１４に備えられているテーブル１４１には切断刃具１５１の端部が侵入可能なように溝部１４１ａが設けられており、テーブル１４１の上に載置された切断材Ｗの下部に切断刃具１５１が到達できる構成となっている。
【００３６】
載置部１４に接続された傾動側支持部材１３は上下方向に延びるように構成されており、使用者が操作部１１を操作することにより、載置部１４と傾動側支持部材１３とが固定された固定状態（傾動不可能状態）、若しくは、載置部１４と傾動側支持部材１３とが相対移動可能な傾動可能状態を選択できるように構成されている。
【００３７】
卓上切断機１は傾動側支持部材１３を傾動させることにより切断機本体１５を傾動させることができるように構成されている。切断機本体１５を傾動させることにより、切断刃具１５１と載置面１４ａとがなす角度を９０度未満とすることができるようにされている。図３及び図４には切断刃具１５１と載置面１４ａとがなす角度を４５度とした状態が示されている。この場合、切断材Ｗを切断することにより生じさせる切断面と、載置面１４ａと、がなす角度を４５度とすることが可能となっている。最も頻繁に使用される切断形態である直角切りを採用する場合は図５及び図６に示すように、切断機本体１５が載置部１４に対して直交するように配置するものであり、切断面と載置面１４ａとがなす角度を９０度とすることが可能となっている。なお、使用者は通常切断材Ｗを載置面１４ａに置く際、ガイドフェンス１４３のフェンス面１４３ａに切断材Ｗを当接させて置くことで、所定の精度の切断を行うことが可能となる。
【００３８】
本実施の形態の切断機本体１５には、切断刃具１５１の上側を覆う固定カバー１５８と切断刃具１５１の下側を覆う可動カバー１５９を備えている。可動カバー１５９は固定カバー１５８に対して相対移動可能なものであり、使用時には切断刃具１５１が切断材Ｗと当接可能な状態とすることが可能なものである。
【００３９】
切断機本体１５には、使用者が把持することが可能なハンドル部１５２を備えている。ハンドル部１５２には比較的前側に配置される第一ハンドル部位１５２ａと、比較的後側に配置される第二ハンドル部位１５２ｂを備えた構成としている。第一ハンドル部位１５２ａには、切断刃具１５１の回転及び停止をさせるために使用するスイッチレバー１５３が付設されている。なお、スイッチレバー１５３を引き操作することにより切断機本体１５に設けられている電動モータ１５４が動き、円盤形状の切断刃具１５１を回転させることができるように構成されている。
【００４０】
実施の形態の卓上切断機１はスライドマルノコであり、傾動側支持部材１３の上部側に上下平行に並べて取り付けられた２本のスライドバー１６，１６に沿って本体支持スライダ１５７を介して切断機本体１５を前後方向にスライド移動させることができるようになっている。なお、傾動側支持部材１３に取り付けられたスライドバー１６に対して切断機本体１５を固定することができるように、切断機本体１５にはスライド用固定螺子１５７ａが設けられている。また、傾動側支持部材１３の下部側には傾斜基台部２２などを介して左右平行に並べたスライドバー１８，１８が連結されており、当該スライドバー１８を後方にスライド移動することにより、傾動側支持部材１３とテーブル１４１との距離を離間させることが可能となっている。
【００４１】
図７に示したのは切断機本体１５がスライドバー１６の前端側に位置している状態である。また、図８に示したのは切断機本体１５がスライドバー１６の後端側に位置しているとともに、傾動側支持部材１３がテーブル１４１などから離間するように位置した状態である。切断機本体１５を前後方向にスライドさせて切断材Ｗを切断しようとする場合、例えば、図７に示した状態から切断機本体１５を下側に変位させ、図９の状態にする。この状態から切断機本体１５を後側に変位させると図１０の位置まで切断刃具１５１を位置させることが可能となる。この状態から切断機本体１５を上方に移動させると図８に示した状態となる。
【００４２】
切断機本体１５を左右方向に傾動させるために使用する傾動側支持部材１３について説明する。傾動側支持部材１３は、載置部１４と切断機本体１５とを上下方向に離間させるために使用されるものであり、載置部１４に対して傾動可能に連結されている。本実施の形態の載置部１４は水平方向に回転可能なテーブル１４１を備えている。当該テーブル１４１には、スライドバー１８及び傾斜基台部２２を有する突き出し部１４４を備えており、当該突き出し部１４４はテーブル１４１の後壁面から後方側に変位可能に構成されている。当該突き出し部１４４と、傾動側支持部材１３とは連結部品２４により相対移動可能に連結されている。本実施例で用いられる連結部品２４は、雄螺子２４ａにピンを挿入固定することで一端側に突部２４ｂを付設し、かつ、他端側に雌螺子（緩みどめ付き六角ナット）２４ｃを螺合することで形成されたものである（図１１参照）。また、傾動側支持部材１３に備えられた傾動軸用ギヤ１７５と連結部品２４の雄螺子２４ａとは螺合しており、傾動軸用ギヤ１７５が回転することにより連結部品２４が前後方向に移動可能となるように構成している。当該構成を可能とするため、本実施の形態においては、連結部品２４の一端側に形成された螺子山と傾動軸用ギヤ１７５の中央部に設けられた雌螺子部位１７５ａの螺子山とがかみ合うように構成されており、かつ、突部２４ｂが傾動側支持部材１３に形成された凹部に係合することにより雄螺子２４ａの回転を抑制するように構成されている。なお、本実施の形態においては前記連結部品２４の雄螺子２４ａが本体傾動軸１９の役割を果たすものである。
【００４３】
連結部品２４の一端は突き出し部１４４の端部に接続されている。また、連結部品２４の他端が傾動側支持部材１３の後面側に位置するとともに傾動軸用ギヤ１７５と螺合している。そのため、傾動軸用ギヤ１７５を回転させることで、傾動軸用ギヤ１７５と突き出し部１４４との離間距離、ひいては傾動側支持部材１３と突き出し部１４４との離間距離を長くしたり、短くしたりすることが可能である。この動きを利用して突き出し部１４４と傾動側支持部材１３とを傾動不可能状態とするか傾動可能状態とするかを選択することができるものとなっている。より具体的には、傾動軸用ギヤ１７５を後側面から見て右回りに回転させると、突き出し部１４４と傾動側支持部材１３とが密着し、相対移動ができない傾動不可能状態とすることが可能な構成である。逆に傾動軸用ギヤ１７５を左回りに回転させると、突き出し部１４４と傾動側支持部材１３との密着状態が解除され相対移動が可能となる構成である。
【００４４】
突き出し部１４４と傾動側支持部材１３との密着状態が解除されると傾動側支持部材１３は本体傾動軸１９を中心に傾動可能となる。そのため、傾動側支持部材１３の傾き度合いを変えることで載置面１４ａと切断機本体１５とがなす角度を変えることが可能となる。載置面１４ａと切断機本体１５とがなす角度が所望の位置となった状態で、傾動軸用ギヤ１７５を回転させて突き出し部１４４と傾動側支持部材１３とが密着して相対的に移動できない状態にすることにより、使用者は所望の角度を定めた状態で切断作業ができるようになる。
【００４５】
傾動側支持部材１３の傾動可能状態と傾動不可能状態とを切り替えるために操作される操作部１１について、より詳細に説明する。本実施の形態の操作部１１は略円錐台状に構成されている。操作部１１の一端側には操作部１１から延びる回転操作軸１７１が設けられており、回転操作軸１７１の先端には小型の第一ギヤ１７２が設けられている。操作部１１を回転操作すると、軸受け１７９に支えられた回転操作軸１７１を介して当該第一ギヤ１７２が回転可能となっている。第一ギヤ１７２は第二ギヤ１７３とかみ合うように配置されており、第二ギヤ１７３は第三ギヤ１７４とかみ合うように配置されており、第三ギヤ１７４は傾動軸用ギヤ１７５とかみ合うように配置されている。
【００４６】
傾動軸用ギヤ１７５は連結部品２４と螺合しているため、操作部１１を回転操作することにより連結部品２４に対して傾動軸用ギヤ１７５を回転させることができるものとなっている。連結部品２４は傾動側支持部材１３を貫通し、突き出し部１４４と相対回転不能とされているものであるため、傾動軸用ギヤ１７５を右回転させることで傾動軸用ギヤ１７５と突き出し部１４４とにより傾動側支持部材１３を挟み込んで傾動不可能状態とすることが可能となる。逆に、傾動軸用ギヤ１７５を左回転させることで突き出し部１４４と傾動側支持部材１３とが密着した傾動不可能状態を解除し、傾動側支持部材１３が回転可能な状態である傾動可能状態とすることが可能となる。なお、図１１に示すように連結部品２４には周方向に張り出すように突部２４ｂが設けられているため、連結部品２４が自由に回転しようとしても、当該突部２４ｂの移動が傾動側支持部材１３に抑制される構造とされている。
【００４７】
本実施の形態の卓上切断機１であれば、操作部１１を傾動側支持部材１３の前側端面よりも前方及び載置面１４ａよりも上方に配置したものであるため、操作部１１を傾動側支持部材１３の前側端面よりも前方及び載置面１４ａよりも上方に配置していることから、前後左右方向に長い切断材Ｗを配置しても、切断材Ｗより下方に操作部１１が位置することが無い。また、傾動側支持部材１３の前側端面よりも前方に操作部１１が配置されているため、傾動側支持部材１３の後側に手を回す必要性が無い。したがって、傾斜切りをする際にも使用者に使い勝手の良いものとすることが可能となる。更にいえば、操作部１１がガイドフェンス１４３のフェンス面１４３ａよりも前方に配置可能であるため、使用者が通常作業時に手を伸ばす範囲で操作部１１を操作することが可能となり、使い勝手を良くすることが可能となる。
【００４８】
また、操作部１１を回転操作することにより、傾動側支持部材１３を傾動可能状態と傾動不可能状態との間で切り替えることができるため、使用者にとって使い勝手を良くすることが可能である。また、傾動側支持部材１３は本体傾動軸１９を回転中心として傾動するものであり、前記本体傾動軸１９と平行に配置された回転操作軸１７１を回転させることで、前記傾動側支持部材１３の傾動可能状態と傾動不可能状態との切り替えが可能であるため、傾動側支持部材１３を動かした際に回転操作軸１７１が動きうる領域を比較的小さくすることが可能となる。
【００４９】
また、操作部１１と本体傾動軸１９とを連結する動力伝達部にギヤを含む構成であることから、当該ギヤが隣接する部材の凹凸形状とのかみ合わせにより隣接する部材に動力を伝えるものであり、動力の伝達が適切に行われやすくなる。特に、ギヤはアイドルギヤを備えているものであることから、コンパクト性を確保することが可能となり、ギヤの枚数が偶数枚となるように構成されていることから、使用者側から回転させた回転方向に背面側から回転させているのと同じことになり、違和感無く傾動可能状態と傾動不可能状態の選択操作をすることが可能となる。
【００５０】
また、傾動側支持部材１３と切断機本体１５との間には切断機本体１５の前後方向の進行経路を定めるためのスライドバー１６が筒部材を用いて構成されており、前記操作部１１と本体傾動軸１９とを連結する動力伝達部の少なくとも一部が筒部材の内側に配設されている構成であるため、比較的コンパクトな卓上切断機１とすることが可能である。
【００５１】
また、切断機本体１５が傾動側支持部材１３に固定されたスライドバー１６の長手方向に沿って移動可能となるように構成されているため、切断機本体１５を支持している支持部材が傾動側支持部材１３に対してスライド移動するような場合に比べて傾動側支持部材１３の後方側にスペースを確保する必要性が無いため、使用環境の制約を少なくすることが可能である。
【００５２】
また、切断機本体１５が上死点に位置する際に、使用者が把持可能な第一ハンドル部位１５２ａの下方に前記操作部１１が位置することが可能であるため（図８参照）、傾動操作時に第一ハンドル部位１５２ａと操作部１１をしっかりと把持した状態で傾動操作が可能となるため、傾動操作時の操作性を向上させることが可能となる。
【００５３】
また、切断機本体１５が下死点に位置する際に、使用者が把持可能な第二ハンドル部位１５２ｂの下方に前記操作部１１が位置することが可能であるため（図１０参照）、傾動操作時に第二ハンドル部位１５２ｂと操作部１１をしっかりと把持した状態で傾動操作が可能となるため、傾動操作時の操作性を向上させることが可能となる。
【００５４】
また、使用者が切断作業をする立ち位置から移動せずに操作部１１を操作することが可能であることから、切断材Ｗと切断刃具１５１との位置関係を確認しながら操作部１１を操作することが可能であり、使用者の使い勝手を向上させることが可能となる。また、操作部１１が背面側に位置していないため、卓上切断機１の全長を短くすることが可能となる。更には、スライドバー１６が傾動側支持部材１３の後側に飛び出す構成で無いため、卓上切断機１の後側を壁面に沿わせて使用できるものであり、卓上切断機１の配置の制約を低減することが可能となり、使用者にとって使いやすい卓上切断機１となる。
【００５５】
また、動力伝達部には歯車が偶数枚連なって配置されているため、使用者側から回転させた回転方向に背面側から回転させているのと同じことになり、違和感無く傾動可能状態と傾動不可能状態の選択操作をすることが可能となる。また、傾動側支持部材１３の上部に配置されているスライドバー１６と接続された操作部１１を握りながら操作することにより傾動不可能状態と傾動可能状態の選択操作が可能な構造であるため、傾動不可能状態から傾動可能状態にした場合も、操作部１１を握る力が傾動側支持部材１３を支える力ともなるため、傾動可能状態にする際に意図せずに傾動側支持部材１３が動いてしまうことを抑制することが可能となる。
【００５６】
また、動力を伝達するために使用するギヤが同一平面上に配置されており（いわゆる「アイドルギヤ」を備えた形態）、コンパクトな構成とすることが可能である。また、操作部１１は切断機本体１５が上死点位置にある時にも切断機本体１５の下端よりも上方に操作部１１が配置されているため、操作部１１が切断材Ｗと当接することを抑制可能である。
【００５７】
また、操作部１１は切断機本体１５が下死点位置にある時にも切断機本体１５の上端よりも下方に操作部１１が配置されているため、卓上切断機１のコンパクト性を保つことが可能となる。また、切断刃具１５１よりも右側に切断機本体１５に設けられたハンドル部１５２が配置され、切断刃具１５１よりも左側に操作部１１が配置されているため、使用者の両手の間に切断刃具１５１が位置することになり、使用者がハンドル部１５２と操作部１１の双方を持ちやすくなる。そのため、傾動不可能状態と傾動可能状態を選択する際に、傾動側支持部材１３が回転しにくい安定した状態で作業をすることが可能となる。
【００５８】
また、傾動可能状態と傾動不可能状態を選択するために電気的要素を必要としないため、卓上切断機１に付設したプラグをコンセントから外したり、卓上切断機１に使用するバッテリを卓上切断機１から外したりした状態を目視確認したうえで、切断機本体１５の位置調整をすることが可能となり、使用者が安心感を持って作業をすることが可能となる。
【００５９】
動力伝達機構の変形例について、簡単に説明する。上記実施の形態においては動力伝達機構は平歯車といわれるギヤ同士をかみ合わせて傾動軸用ギヤ１７５を回転させているが、プーリーやスプロケットに対して輪状の無端索部材を掛け渡すことで動力を伝達するものとしても良い。例えば、図１２に示すように、かみ合わせ溝が設けられたプーリー１９１に対して内周側に凹凸形状を備えたベルト１７６をかける構成とすることも可能である。また、図１３に示すように、第一ギヤ１７２と傾動軸用ギヤ１７５をスプロケットにより形成し、当該スプロケットに対してチェーン１７７をかける構成とすることも可能である。このように、操作部１１と本体傾動軸１９とを連結する動力伝達部に無端索部材を含む構成とすることで、離間している場所に動力の伝達をしようとしても、比較的簡素な構造とすることが可能となる。
【００６０】
また、図１４に示すように、第一ギヤ１７２と傾動軸用ギヤ１７５に対して棒状の部材１７９に歯が形成されたラック１７８を掛け渡すことで、平行移動するラック１７８を介して第一ギヤ１７２からの力を傾動軸用ギヤ１７５に伝える構成とすることも可能である。また、図１５に示すように、かさ歯車を利用して第一ギヤ１７２からの力を傾動軸用ギヤ１７５に伝える構成とすることも可能である。図１５に示している形態の場合、第一ギヤ１７２も傾動軸用ギヤ１７５もかさ歯車であり、第一ギヤ１７２と傾動軸用ギヤ１７５とを繋ぐ円柱状の部材１７９に設けられているギヤもかさ歯車である。当該構成であると、かさ歯車が設けられた円柱状の部材１７９は回転中心軸が円柱状の部材１７９の長手方向となるように回転することになる。
【００６１】
以上一つの実施形態といくつかの変形例について説明したが、本発明は、上記実施形態のほか、その他各種の形態で実施可能なものである。例えば、卓上切断機は切断機本体が前後方向にスライドするスライドマルノコである必要性は無く、切断機本体が傾動側支持部材に揺動可能に支持されているようなものであっても良い。
【００６２】
また、載置部はベースとテーブルの双方を備えている必要性は無く、テーブルが回転するものでなくても良い。また、本体傾動軸は連結部品で形成する必要性は無く、本体傾動軸とは別途連結部品を設け、当該連結部品により傾動側支持部材と載置部との間の傾動不可能状態及び傾動可能状態を選択できるようにすることが可能である。
【００６３】
また、操作部は回転操作をするものに限らず、引き操作などによりロック状態とアンロック状態とを切り替えることができるものとしても良い。また、第一ギヤと傾動軸用ギヤとの間に第二ギヤや第三ギヤを介在させる必要性は無く、第一ギヤと傾動軸用ギヤとが直接かみ合うようにするものとしても良い。逆に第一ギヤと傾動軸用ギヤとの間に更に多くのギヤを介在させることも可能である。
【００６４】
また、ギヤとしてはウォームギヤ、はすば歯車、冠歯車など各種ギヤを使用することが可能である。また、歯を形成するように溝が設けられたプーリーに対して凹凸形状を有する無端索部材が噛み合う構成に変えて、プーリーと無端索部材の摩擦力のみにより動力を伝達するようにすることも可能である。
【００６５】
また、切断機本体の前後方向の進行経路を定めるためのスライドバーに、前記操作部と本体傾動軸とを連結する動力伝達部の少なくとも一部の機能を持たせることも可能である。また、スイッチは引き操作する形式である必要性は無く、使用者が通電操作可能なものであれば、スライド形式など各種形式のものを採用可能である。
【符号の説明】
【００６６】
１        卓上切断機
１１      操作部
１３      傾動側支持部材
１４      載置部
１４ａ    載置面
１５      切断機本体
１６      スライドバー
１８      スライドバー
１９      本体傾動軸
１４１    テーブル
１４２    ベース
１４３    ガイドフェンス
１４３ａ  フェンス面
１５１    切断刃具
１７１    回転操作軸
１７２    第一ギヤ
１７５    傾動軸用ギヤ
Ｗ        切断材
Ｄ        机
【図１】
2015150633.tif 000003
【図２】
2015150633.tif 000004
【図３】
2015150633.tif 000005
【図４】
2015150633.tif 000006
【図５】
2015150633.tif 000007
【図６】
2015150633.tif 000008
【図７】
2015150633.tif 000009
【図８】
2015150633.tif 000010
【図９】
2015150633.tif 000011
【図１０】
2015150633.tif 000012
【図１１】
2015150633.tif 000013
【図１２】
2015150633.tif 000014
【図１３】
2015150633.tif 000015
【図１４】
2015150633.tif 000016
【図１５】
2015150633.tif 000017